(57)【要約】【課題】一台の遊技機を、遊技者にとって有利な特別遊技をあたかも別の遊技台で行っているかのように構成することで、遊技者に特に興趣ある弾球遊技機を提供すること。【解決手段】遊技盤の左上面に通常遊技を行う通常遊技領域２ａとは画成された特別遊技領域２ｂを設け、該特別遊技領域２ｂに通常遊技領域におけるものと同様に始動入賞口や役物、障害釘等を適宜配置する。特別遊技の発生により、遊技球を特別遊技領域にのみ放出するように発射装置および遊技球の通路を形成し、該特別遊技での入賞に伴い、通常遊技球が払い出される。特別遊技領域での遊技球を通常の遊技球よりも小径とすることができる。【選択図】図３
2009142608.tif 000002
【特許請求の範囲】
【請求項１】
通常遊技が行われる通常遊技領域と、前記通常遊技領域と画成され、前記通常遊技とは独立した遊技制御がなされる特別遊技が行われる特別遊技領域と、発射装置から打ち出された弾球を前記通常遊技領域に案内する第１通路と、前記発射装置から打ち出された弾球を前記特別遊技領域に案内する前記第１通路とは画成された第２通路とを同一の遊技盤に形成した弾球遊技機であって、前記通常遊技を制御する通常遊技制御と、前記特別遊技を制御する前記通常遊技制御とは独立した特別遊技制御を行う遊技制御装置とを備え、
前記通常遊技において前記特別遊技が成立することに伴い、前記発射装置から打ち出された弾球が前記第２通路を通って前記特別遊技領域に導出されるように構成することにより、前記特別遊技領域において前記特別遊技が行われることを特徴とする弾球遊技機。
【請求項２】
請求項１に記載の弾球遊技機において、前記発射装置から打ち出された弾球を前記第１通路ないし前記第２通路に振り分ける振り分け弁を前記第１通路および前記第２通路に面して設け、前記振り分け弁を前記特別遊技の成立および前記特別遊技の終了に伴い作動させることを特徴とする弾球遊技機。
【請求項３】
請求項１に記載の弾球遊技機において、前記特別遊技領域に形成される障害釘間が、前記通常遊技に用いられる通常の弾球よりも小径の小玉の弾球に相応する狭い幅に形成され、
前記通常遊技において特別遊技が成立することに伴い前記小玉の弾球が所定数払い出されて、前記特別遊技が前記払い出された所定数の小玉の弾球を用いて行われるとともに、
前記特別遊技における入賞に伴う賞球の払出が、通常遊技における入賞に伴う賞球の払出として前記通常の弾球により行われることを特徴とする弾球遊技機。
【請求項４】
請求項３に記載の弾球遊技機において、前記発射装置は、前記第１通路に対向して設けられる前記通常の弾球を発射する通常球発射装置と、前記第２通路に対向して設けられる前記小玉の弾球を発射する小玉発射装置とからなることを特徴とする弾球遊技機。
【請求項５】
請求項３ないし４に記載の弾球遊技機において、前記通常の弾球の玉受けのための通常玉受皿とともに、前記通常玉受皿に隣接して前記小玉の弾球の玉受けのための小玉玉受皿を設け、
前記小玉玉受皿は、前記通常玉受皿とは画成され、かつ遊技者が前記小玉の弾球を視認できるとともに取り出せないように、少なくても上面が透明体で形成された上面カバーで覆われており、
前記特別遊技の成立に伴い前記小玉の弾球が前記小玉玉受皿に所定数払い出されて前記特別遊技に供されることを特徴とする弾球遊技機。
【請求項６】
請求項１ないし５に記載の弾球遊技機において、前記特別遊技領域に特別入賞口を設け、前記特別入賞口への入賞に伴い前記通常の弾球が所定数払い出されることを特徴とする弾球遊技機。
【発明の詳細な説明】
【技術分野】
【０００１】
本発明は、パチンコ遊技機などの弾球遊技機に関し、詳しくは遊技盤上に複数の入賞口を有する遊技機に関する。
【背景技術】
【０００２】
従来、パチンコ遊技機等の弾球遊技機は、通常遊技において特定の入賞口への遊技球の入賞あるいは特定の通過ゲートへの遊技球の通過等に基づいて抽選が行われ、その結果当たりである場合に、該通常遊技が、遊技者にとって有利な遊技状態である特別遊技に変動するように構成されている。
そして、そのような遊技の単調性を改善するために、遊技領域を左右に２個並設し、遊技者が任意にその領域を選択しうるようにすることが提案されている（特許文献１、２）。
【特許文献１】特開２００６−２１８０２９公報
【特許文献３】特開２００５−２７０４１７公報
【発明の開示】
【発明が解決しようとする課題】
【０００３】
ところで、遊技者にとっては、当せん確率の極めて小さな特別遊技を抽選で当選させ、その特別遊技を勇躍楽しむことが格別な興趣となっており、そのような特別遊技の楽しみへの要求を満たす遊技機が求められている。
【０００４】
しかしながら、これら従来のものは、１つの遊技盤面に同一の遊技機能を有する遊技領域を単に並設したに過ぎないものであり、いわば１つの遊技台中に、単に複数の遊技台を形成したに過ぎないものである。したがって、このような弾球遊技機では、特別遊技は通常遊技と同じ領域を使って行われるので、なお遊技に単調性が残り、遊技者にとっては物足りないものとなっている。
本発明は前記の点に鑑みなされたものであり、遊技者にとって興趣が一層向上する弾球遊技機を提供すべく、特別遊技を、通常遊技を行う領域から隔離した特別遊技領域において行わせると共に、通常遊技とは独立して制御するように構成したものである。  
【課題を解決するための手段】
【０００５】
上述した目的を達成する解決手段として、請求項１の発明は、通常遊技が行われる通常遊技領域と、前記通常遊技領域と画成され、前記通常遊技とは独立した遊技制御がなされる特別遊技が行われる特別遊技領域と、発射装置から打ち出された弾球を前記通常遊技領域に案内する第１通路と、前記発射装置から打ち出された弾球を前記特別遊技領域に案内する前記第１通路とは画成された第２通路とを同一の遊技盤に形成した弾球遊技機であって、前記通常遊技を制御する通常遊技制御と、前記特別遊技を制御する前記通常遊技制御とは独立した特別遊技制御を行う遊技制御装置とを備え、  前記通常遊技において前記特別遊技が成立することに伴い、前記発射装置から打ち出された弾球が前記第２通路を通って前記特別遊技領域に導出されるように構成することにより、前記特別遊技領域において前記特別遊技が行われることを特徴とした弾球遊技機である。
【０００６】
請求項２の発明は、請求項１に記載の弾球遊技機において、前記発射装置から打ち出された弾球を前記第１通路ないし前記第２通路に振り分ける振り分け弁を前記第１通路および前記第２通路に面して設け、前記振り分け弁を前記特別遊技の成立および前記特別遊技の終了に伴い作動させることを特徴とする弾球遊技機である。
【０００７】
請求項３の発明は、請求項１に記載の弾球遊技機において、前記特別遊技領域に形成される障害釘の間隔が、前記通常遊技に用いられる通常の弾球よりも小径の小玉の弾球に相応する狭い幅に形成され、前記通常遊技において特別遊技が成立することに伴い前記小玉の弾球が所定数払い出されて、前記特別遊技が前記払い出された所定数の小玉の弾球を用いて行われるとともに、前記特別遊技における入賞に伴う賞球の払出が、通常遊技における入賞に伴う賞球の払出として前記通常の弾球により行われることを特徴とする弾球遊技機である。
【０００８】
請求項４の発明は、請求項３に記載の弾球遊技機において、前記発射装置は、前記第１通路に対向して設けられる前記通常の弾球を発射する通常球発射装置と、前記第２通路に対向して設けられる前記小玉の弾球を発射する小玉発射装置とからなることを特徴とする弾球遊技機である。
【０００９】
請求項５の発明は、請求項３ないし４に記載の弾球遊技機において、前記通常の弾球の玉受けのための通常玉受皿とともに、前記通常玉受皿に隣接して前記小玉の弾球の玉受けのための小玉玉受皿を設け、前記小玉玉受皿は、前記通常玉受皿とは画成され、かつ遊技者が前記小玉の弾球を視認できるとともに取り出せないように、少なくても上面が透明体で形成された上面カバーで覆われており、前記特別遊技の成立に伴い前記小玉の弾球が前記小玉玉受皿に所定数払い出されて前記特別遊技に供されることを特徴とする弾球遊技機である。
【００１０】
請求項６の発明は、請求項１ないし５に記載の弾球遊技機において、前記特別遊技領域に特別入賞口を設け、前記特別入賞口への入賞に伴い前記通常の弾球が所定数払い出されることを特徴とする弾球遊技機である。
【発明の効果】
【００１１】
本発明は、以上のように構成することで、遊技者にとって特に興趣を起こさせる特別遊技を、１つの遊技台上においてあたかも別の遊技台での遊技を行うごとく構成することができ、しかもそのような特別遊技は通常遊技とは別途制御されることにより入賞球の払出に変化を与えることができるので、遊技者にとって新たな興趣を与える弾球遊技機を提供することができる。  
【発明を実施するための最良の形態】
【００１２】
以下に本発明に好適な第１の実施の形態を、本発明をパチンコ遊技機に適用した場合おいて、図面を用いて説明する。  
【００１３】
図１は本発明の第１の実施の形態に係る遊技盤の説明図、図２は本発明の第１の実施の形態に係る遊技球の発射装置の説明図、図３は本発明の第２の実施の形態に係る遊技盤の説明図、第４図は本発明の第２の実施の形態に係る玉受け皿の説明図、図５は本発明の弾球遊技機の制御フロー図である。
【００１４】
図１に示す本発明の実施の形態に係るパチンコ遊技機は、遊技場の島設備に設置される基枠１と、基枠１に扉状に開閉自在に取り付けられた前面枠２と、前面枠２に収容された後述する遊技盤３と、前面枠２の前面に扉状に開閉自在に取り付けられたガラス枠４と、前面枠２の下側に配設された後述する玉受け皿５を有する前面ボード６と、前面ボード６に取り付けられた発射ハンドル７と、遊技機背面に取り付けられた各種の制御基板等を具備している。
【００１５】
図１に示すように、前記遊技盤３は、誘導レール８によって囲まれた遊技領域を有している。さらに、該遊技領域は、遊技盤中央に設けられる通常遊技領域３ａと遊技盤右上方に設けられる特別遊技領域３ｂとに、領域仕切板９によって完全に仕切られ、遊技球は通常遊技領域３ａから特別遊技領域３ｂへは侵入しないし、特別遊技領域３ｂから通常遊技領域３ａへも侵入しないように構成されている。
【００１６】
該通常遊技領域３ａおよび特別遊技領域３ｂは、従来の遊技機と同様に、それぞれ通常遊技および特別遊技を行うことが出来る領域として構成されている。
このため、該通常遊技領域３ａには、通常遊技始動入賞口１０ａ、通常遊技表示装置１１ａ、通常遊技アウト口１２ａ等が設けられ、また、該特別遊技領域３ｂにも、特別入賞口１０ｂ、特別遊技表示装置１１ｂ、特別遊技アウト口１２ｂ等が設けられている。
さらに、それぞれの遊技領域には、通常の遊技盤に設けられていると同様に、普通入賞口（一般入賞口）、障害釘２０、風車３０、役物装置などが適宜配置され、通常遊技および特別遊技のそれぞれが、独立した遊技として楽しめるように構成されている。
また、遊技機背面の制御基板にはＣＰＵを主体とする遊技制御装置が設けられており、該遊技制御装置は、通常遊技領域３ａでの遊技を制御する通常遊技制御と、特別遊技領域２ｂでの遊技を制御する特別遊技制御とをそれぞれ独立して制御するように構成されている。
なお、図１に示すように、特別遊技領域３ｂは通常遊技領域に比較して狭い領域に画成されており、特別遊技表示装置１１ｂのための十分な領域が確保できない場合は、特別遊技表示装置１１ｂを通常遊技表示装置１１ａと兼用するなどにより十分な演出表示に対応することができる。
【００１７】
このように、本発明の特別遊技は、通常遊技とは独立して制御され、しかも通常遊技領域３ａと同様に障害釘や入賞口等が設けられている画成された領域で行われるので、遊技者にとっては、同じ遊技台で、あたかも別遊技あるいはミニゲームをするかのように構成されている。
【００１８】
遊技球は、遊技台の下部に設けられた発射装置１３から、遊技者による発射ハンドル７の操作により、それぞれ通常遊技領域３ａまたは特別遊技領域３ｂに発射される。
遊技盤３の縁には、該発射装置１３から発射される遊技球を通常遊技領域３ａまたは特別遊技領域３ｂに案内する誘導レール８−１〜３が設けられる。
該誘導レール８−１，２によって、遊技球が通常遊技領域３ａに導出されるように遊技球の第１通路１４−１が画成され、該誘導レール８−２，３によって、遊技球が特別遊技領域３ｂに導出されるように遊技球の第２通路１４−２が画成されている。
【００１９】
また、図２に示すように、該誘導レール８−１、８−２の発射装置１３の近傍には、発射装置１３から発射される遊技球を前記第１通路１４−１あるいは第２通路１４−２に振り分けるための玉振り分け弁１５―１、１５−２がそれぞれ取り付けられ、また、発射装置１３は、発射された遊技球が第１通路１４−１に発射されるように第１通路１４−１に対向して配置されている。そして、該玉振り分け弁１５―１、１５−２が同時に同一方向に作動することによって、発射装置１３から発射された遊技球が前記第１通路１４−１あるいは第２通路１４−２に振り分けられるよう構成されている。
このように、発射装置１３を通常遊技領域および特別遊技領域で共通にすることで、遊技盤下部の狭い領域での発射装置の構造を簡単にすることができると共に、従来の発射装置をそのまま利用することができる。
【００２０】
通常遊技においては、図２の実線で示すように、玉振り分け弁１５−１，１５―２は作動しない状態とされ、発射された遊技球は、第１通路１４−１を経て通常遊技領域３ａに放出される。
また、特別遊技においては、図２の破線で示すように、玉振り分け弁１５−１，１５―２は下方向に同時に作動し、発射された遊技球は、第２通路１４−２を経て特別遊技領域３ｂに放出される。
該玉振り分け弁１５−１，１５−２の作動機構としては、例えばソレノイドを使用するなど、通常の駆動機構を採用することが出来る。
【００２１】
また、入賞口へ遊技球が入賞することにより払い出される玉を受ける球受け皿５が通常の遊技台と同様、遊技台の前面ボード６に設けられており、該玉受け皿５から発射装置１３に遊技玉が供給され、遊技に供される。この実施例の場合の玉受け皿５は、通常の遊技台に設けられているものと同様のもので構成することが出来る。
また、該玉受け皿５の玉飽和時に遊技球を受けるための下玉受け皿１６が設けられている。
【００２２】
このような構成を有する本発明のパチンコ遊技機は、次のように作動する。
先ず、遊技は通常遊技から始められる。したがって、遊技者が遊技球を玉受け皿１６に流し込み、発射ハンドル７を操作すると、遊技球は発射装置１３によって発射され、第１通路１４−１を経て、通常遊技領域３ａに放出される。
【００２３】
通常遊技領域３ａに放出された遊技球が通常遊技始動入賞口１０ａに入賞し、該通常遊技始動口１０ａ内に設けられた遊技球検出スイッチ（図示せず）が該遊技球を検知すると、内部抽選が行われると共に通常遊技表示装置１１ａの変動表示が開始される。
なお、通常遊技領域３ａにはこのような通常遊技始動口１０ａを複数設けたり、該通常遊技始動口１０ａをいわゆる電チュー（電動チューリップ）により構成したりすることもできる。
【００２４】
通常遊技表示装置１１ａは、遊技球検出スイッチの作動により行われる内部抽選の結果を表示するものであり、通常、３組の数字の組み合わせにより液晶で表示される。
内部抽選の結果、この３組の数字の組み合わせが、予め定められた特定数字、例えば３３３、あるいは７７７等の特別遊技が行える組み合わせである内部当選となった場合、その当選が通常遊技表示装置１１ａに表示されるとともに、音声や通常遊技表示装置１１ａ内において行われる演出表示等により遊技者に報知される。
【００２５】
次いで、通常遊技から遊技者にとって有利な遊技を行うことができる特別遊技に移行することが通常遊技表示装置１１ａにより遊技者に報知され、玉振り分け弁１５−１，１５−２が、発射装置１３からの遊技球を第２通路１４−２に導出するように作動する。
これにより、遊技球が特別遊技領域に放出され、特別遊技が開始される。
【００２６】
特別遊技領域３ｂに放出された遊技球は、該特別遊技領域３ｂ内に設けられた、比較的容易に入賞を可能とするように障害釘が構成された入賞口や、開く確率が比較的高く設定された電チュー、あるいは、大量の遊技球が入賞することのできるいわゆる特別電動役物で構成された特別入賞口１０ｂなどに入賞することで、遊技者にとって有利な遊技状態での遊技が行われる。
【００２７】
このような特別遊技としては、例えば、特別入賞口１０ｂを開放状態とし、所定時間（例えば２９．５秒）経過後、あるいは該特別入賞口１０ｂへの遊技球の入賞が所定個数（例えば１０個）となった時点で閉じる動作を１ラウンドとし、このラウンドを通常遊技における内部当選の内容に応じて所定回数（例えば、１５ラウンド）行うよう構成することができる。
そして、該特別入賞口１０ｂへの遊技球の入賞毎に、所定個数（例えば１３個）の賞球が玉受け皿５に払い出される。
特別遊技表示装置１１ｂは、そのような特別遊技の遊技状態、例えば、その時点で何ラウンド目の遊技が行われているか等も表示することができる。
なお、特別遊技としては、特別遊技領域３ｂに特別入賞口１０ｂが備えられており、それによって遊技者にとって特に有利な遊技条件を与えるよう構成されるものであれば、上記した以外の多様な遊技構成とすることができる。
【００２８】
このような特別遊技が終了した後は、遊技球を該特別遊技領域３ｂに放出されないように玉振り分け弁１５−１，１５−２を復帰させることで、通常遊技に戻される。
なお、特別遊技終了直後に、通常遊技始動口１０ａへの一定個数の入賞に対して、いわゆる時短機能を付加した遊技を加えることができる。
また、このような時短機能を有する遊技を特別遊技領域３ｂにおいて行わせるよう構成することもできるが、その場合は、通常遊技表示装置１１ａあるいは特別遊技表示装置１１ｂを可変表示させるための始動入賞口（図示せず）を特別遊技領域３ｂに設けると共に、時短機能を有する遊技が終了した後、玉振り分け弁１５−１，１５−２を復帰させる。
【００２９】
この実施の形態によれば、特別遊技は、通常遊技とは独立して制御され、通常遊技領域３ａとは完全に分離された特別遊技領域３ｂで行われ、しかも特別遊技領域３ｂにも通常遊技領域３ａと同様に障害釘、入賞口、特有の役物等が適宜設けられているので、遊技者にとっては、特に興趣を以て遊戯する特別遊技を、同じ遊技台で、あたかも別遊技あるいはミニゲームをするかのように遊技することができ、遊技者にとって非常に興趣ある遊技機を提供することができる。
また、大当たり制御をする特別遊技制御が、通常遊技制御とは独立して行われることとなるため、遊技者にとっては、通常遊技と特別遊技とにおいて、いわば異なる出玉の波を楽しむことが可能となる。
【００３０】
本発明では、特別遊技領域３ｂは、遊技盤の右上に通常遊技領域３ａよりも小さな領域として設定されている。
しかしながら、上記第１の実施の形態によれば、そのような小さな領域で行われる特別遊技が、通常遊技と同じ直径の遊技球を用いて行われると、遊技者にとっては、ミニゲームあるいは別遊技としての感覚が多少乏しいものとなってしまう。
そこで、本発明の第２の実施の形態によれば、該特別遊技領域３ｂで使用される遊技球（特別遊技球）を通常遊技領域３ａでの遊技球（通常遊技球、直径１１ミリ）より小径の小玉の弾球とすることで、遊技者にとって、一層、興趣のある遊技機として構成することができる。
【００３１】
特別遊技球の大きさは、特別遊技をあたかも小さな遊技機で行っているとの感覚を遊技者に与えるように、遊技領域の大きさに合わせて設定する。例えば特別遊技領域３ｂの面積が通常遊技領域３ａの１／４〜１／６程度であれば、該小玉の弾球は通常遊技球１１ミリの半分程度、例えば６〜７ミリの小径に形成することができる。
【００３２】
さらに、特別遊技領域３ｂに設けられる障害釘の間隙（Ｂ）は、該小玉の弾球の径に合わせて、その径よりも若干大きく設定する。例えば、該小玉の弾球の径が６〜７ミリであれば、該間隙は７〜８ミリに設定する。図３に記載のように、特別遊技領域３ｂに設けられる特別遊技始動入賞口１０ｃにおける障害釘の間隙（Ｂ）や、その他の入賞装置や役物の大きさも、該小玉の弾球の径に合わせた大きさとすることができる。
なお、通常遊技領域における障害釘の間隙（Ａ）は、通常遊技球の大きさ１１ミリに合わせた従来の幅と同じである。
【００３３】
この第２の実施の形態の場合、通常遊技は、前記第１の実施の形態における通常遊技と同様に行われるが、特別遊技に移行するに際しては、通常遊技表示装置１１ａによって特別遊技への内部当選が表示された時点で、特別遊技を行うための小玉の弾球が所定数、玉受け皿５に払い出され、特別遊技に供される。
【００３４】
この実施の形態では、特別遊技では小玉を使用するので、該小玉の弾球を通常遊技における遊技球とは別途、管理するように構成する。
このため、図３に示すように、通常遊技球の発射装置１３とは別に、該小玉の弾球のための小玉発射装置１３ｂが設けられる。
小玉発射装置１３ｂは、第２通路１４−２に対向して設けられており、発射装置１３と共通する発射ハンドル７が操作されることにより、小玉の弾球を特別遊技領域３ｂに放出する。この実施の形態においては、遊技球の通路を切り換える振り分け弁は設ける必要がない。
このように小玉の弾球専用の発射装置を設けることで、通常遊技球とは重量および大きさの異なる小玉の弾球を、円滑に発射することができる。
【００３５】
さらに、玉受け皿５も、図４に示すように、小球と通常遊技球とは別途管理するように構成される。
そのため、玉受け皿５は、通常玉受皿１７の外側縁に、小玉の弾球のための小玉玉受皿１８が取り付けられて構成されている。
そして、該小玉玉受皿１８は、小玉の弾球を当該遊技機内で循環して使用可能にすべく、該小玉の弾球を外部に取り出すことができないように小玉玉受皿１８の上部が上面カバー１９により密閉されている。また、小玉玉受皿１８の少なくても上部は、遊技者に対し小玉を認識可能のように透明体で形成されている。
なお、通常玉受皿１７の上面は通常のものと同様に開放されており、通常遊技球は遊技者が自由に取り出すことができる。
玉受皿５をこのように構成することで、遊技者が誤って小玉の弾球と通常遊技球とを混合させることのないようにするとともに、遊技者に対し特別遊技の開始あるいは終了を明確に認識させることができる。また、遊技場においても、小玉の弾球を小玉貯留槽（図示せず）に予め用意しておけば足りるので、小玉の弾球の管理が容易となる。
【００３６】
小玉の弾球は、遊技機内の小玉貯留槽から、小玉払出装置（図示せず）によって小玉玉受皿１８に払い出され、払い出された小玉の弾球は、該小玉玉受皿１８の下部に連通する通路を通って、第２通路に対向して設けられた小玉発射装置１３ｂに供給される。
小玉発射装置１３ｂにより発射された小玉の弾球は、特別遊技領域３ｂに放出されて特別遊技に供され、該特別遊技領域３ｂに設けられた特別入賞口１０ｂ等の入賞口あるいは特別遊技アウト口１２ｂから小玉貯留槽に回収される。
【００３７】
特別遊技領域に放出された小玉の弾球が特別入賞口１０ｂ等の入賞口に入賞すると、その入賞口に予め価値付けられた入賞個数（例えば、特別入賞口への入賞については１３個、普通入賞口への入賞については７個）に基づき、通常遊技球が通常玉受皿１９に払い出しされる。
このように賞球の払出を通常遊技球で行うよう構成することにより、遊技者や遊技場にとって、賞球の管理が容易になる。
【００３８】
なお、このように通常遊技球の払出しを行うとともに、特別遊技を継続させるために必要な個数の小玉の弾球を小玉玉受皿１８へ払い出しを行うように構成しても良い。
また、通常遊技から特別遊技に移行するに際し、払い出しされる小玉の弾球数を該特別遊技において使用可能な個数に限定して一度に払い出しし、しかも、該特別遊技における入賞に伴う小玉の弾球の払い出しがないようにすることで、一度に払い出しされた小玉の弾球が特別遊技領域に全て放出した時点をもって特別遊技を終了とすることもできる。
【００３９】
上記のように構成されている本発明の弾球遊技機の制御は、上記第２の実施の形態を例として、図５に示すような制御フローによって行われる。
【００４０】
遊技者による発射ハンドル７の回転操作を検知することにより発射装置１３が駆動すると、通常遊技球は第１通路を通過して通常遊技領域３ａに放出される（ステップ０１）。
該通常遊技球が通常遊技始動入賞口１０ａに入賞したことを該通常遊技始動入賞口１０ａ内に設けられた遊技球検出スイッチが検知すると（ステップ０２）、予め定められた確率テーブルを使用して内部抽選を行う通常遊技制御が行われる（ステップ３）。この抽選の態様は、これまで当該分野で周知の抽選態様で構成しうる。
内部抽選の結果、特別遊技に当選すると、遊技制御装置は通常遊技表示装置１１ａに対し当選内容に応じた表示を指示し、通常遊技表示装置１１ａはその指示に対応したリーチ動作等の当選表示制御を行い、最終的に当選内容に応じた絵柄（又は数字）を表示する（ステップ０４，０５）。内部抽選ではずれた場合は、遊技制御装置は、通常遊技表示装置１１ａに対し、はずれ表示制御を指示する。
【００４１】
通常遊技球が、通常遊技領域３ａに設けられた通常遊技始動入賞口１０ａ等の入賞口に入賞すると、遊技制御装置により、その入賞態様に応じた賞球数が払い出される（ステップ０３−２）。
そして、通常遊技表示装置１１ａによる当選表示制御が終了した後（ステップ５）、遊技制御装置は、通常遊技状態に戻るまで、通常遊技制御とは独立した特別遊技制御に移行する（ステップ６）。
そして、特別遊技制御は、該特別遊技移行信号の発信のタイミングで、小玉の弾球を小玉玉受皿１８に所定個数払い出すと共に小玉発射装置１３ｂの駆動を可能とさせる（ステップ７）。ただし、上記第１の実施の形態においては、このステップにおいて、通常遊技球を特別遊技領域３ｂに放出することができるように玉振り分け弁１５を作動させる。
併せて、該特別遊技移行信号に基づいて、当該遊技台に関する大当たり表示等を行う。
【００４２】
小玉の弾球が、第２通路１４−２を通過して特別遊技領域３ｂに放出され（ステップ８）、特別遊技始動入賞口１０ｃに入賞すると（ステップ０９）、入賞処理が行われ通常遊技球が払い出されると共に、必要に応じて特別遊技球が払い出される（ステップ１０）。なお、特別遊技球の払出のみが行われるように構成することもできる。
この特別遊技始動入賞口１０ｃへの入賞に伴い、特別遊技抽選テーブルに基づいて、特別遊技の入賞内容に関する内部抽選が行われる（ステップ１２）。特別始動入賞口１０ｃ等に入賞しない小玉の弾球は、該特別遊技領域３ｂに設けられた特別遊技アウト口１２ｂから、小玉貯留槽へ戻される（ステップ１１）。
特別遊技の入賞内容、例えば特別電動役物の開放ラウンド（例えば、役物への入賞最大個数１０個又は役物の開放時間最大２９．５秒を１ラウンドとする）をいくつにするか等は、通常遊技制御における特別遊技抽選（ステップ４）の結果に基づいて予め決定することも可能であるが、このように特別遊技制御における内部抽選（ステップ１３）で決定すると、遊技者にとっては、該特別遊技を、有利な遊技内容を獲得することができるいわばミニゲームとして遊技でき、該ミニゲームの結果により遊技内容が決定されるので、特別遊技に一層興趣をあたえることができる。
【００４３】
このように特別遊技の遊技内容が決定されると、それにしたがって特別遊技の内容が表示制御され（ステップ１４）、続いて、特別入賞口１０ｂである特別電動役物の開放制御が行われる（ステップ１５）。
該特別電動役物の開放制御に関しては、当該分野における周知の開放制御を採用することができ、例えば、特別電動役物始動口を別途設け、該始動口への遊技球の入球により開放を開始したり、あるいは特別遊技表示装置１１ｂでの特別遊技内容表示後の一定時間後に自動的に開放を開始したり構成することができる。
特別電動役物への入賞処理（ステップ１６）は、ステップ１０における入賞処理と同様であるが、入賞球１個あたりの賞球数を遊技者に有利なように異ならせても良い。
続いて、特別電動役物の上記した開放ラウンド数をカウントし、ステップ１３で決定したラウンド数の終了をもって特別遊技を終了させ、玉振り分け弁１５を再作動させるかあるいは小玉発射装置１３ｂを停止させる特別遊技制御を行う（ステップ１８）。
これにより遊技球は通常遊技領域３ａに投入されることとなり、以降、当該遊技台は通常遊技制御が行われる通常遊技に戻る。
なお、特別遊技における特別電動役物の開放ラウンドの終了後、すぐにステップ１８の制御を行うことなく、特別遊技領域３ｂへの一定個数の遊技球の投入を可能とする遊技を付加する制御を行うなど、該特別遊技領域３ｂを活用した多様な特別遊技制御を採用することも可能である。
【００４４】
このように、本発明の上記制御フローにおいては、前記特別遊技領域に形成される障害釘間が、前記通常遊技に用いられる通常の弾球よりも小径の小玉の弾球に相応する狭い幅に形成され、前記通常遊技において特別遊技が成立することに伴い（ステップ０５）、前記小玉の弾球が所定数払い出されて（ステップ０７）、前記特別遊技が前記払い出された所定数の小玉の弾球を用いて行われるとともに（ステップ０８および０９）、前記特別遊技における入賞に伴う賞球の払出が、通常遊技における入賞に伴う賞球の払出として前記通常の弾球により行われる（ステップ１０および１６）。
また、前記通常の弾球の玉受けのための通常玉受皿とともに、前記通常玉受皿に隣接して前記小玉の弾球の玉受けのための小玉玉受皿を設け、前記小玉玉受皿は、前記通常玉受皿とは画成され、かつ遊技者が前記小玉の弾球を視認できるとともに取り出せないように、少なくても上面が透明体で形成された上面カバーで覆われており、前記特別遊技の成立に伴い前記小玉の弾球が前記小玉玉受皿に所定数払い出されて前記特別遊技に供されるように制御される（ステップ０７）。
さらに、前記特別遊技領域に特別入賞口を設け、前記特別入賞口への入賞に伴い前記通常の弾球が所定数払い出されるように制御される（ステップ１０および１６）。
【００４５】
本発明は、通常遊技が行われる通常遊技領域と、前記通常遊技領域と画成され、前記通常遊技とは独立した遊技制御がなされる特別遊技が行われる特別遊技領域と、発射装置から打ち出された弾球を前記通常遊技領域に案内する第１通路と、前記発射装置から打ち出された弾球を前記特別遊技領域に案内する前記第１通路とは画成された第２通路とを同一の遊技盤に形成した弾球遊技機であって、前記通常遊技を制御する通常遊技制御と、前記特別遊技を制御する前記通常遊技制御とは独立した特別遊技制御を行う遊技制御装置とを備え、前記通常遊技において前記特別遊技が成立することに伴い、前記発射装置から打ち出された弾球が前記第２通路を通って前記特別遊技領域に導出されるように構成することにより、前記特別遊技領域において前記特別遊技が行われる構成とすることで、特に興趣を以て遊技する特別遊技を、同じ遊技台で、あたかも別遊技あるいはミニゲームをするかのように楽しむことができ、遊技者に対し、一層、興趣ある遊技機を提供することができる。
【００４６】
また本発明は、前記発射装置から打ち出された弾球を前記第１通路ないし前記第２通路に振り分ける振り分け弁を前記第１通路および前記第２通路に面して設け、前記振り分け弁を前記特別遊技の成立および前記特別遊技の終了に伴い作動させる構成とすることにより、前記普通遊技領域および前記特別遊技領域に対する発射装置を共通化することで、遊技盤下部の狭い領域での発射装置の構造を簡単にすることができると共に、従来の発射装置をそのまま利用することができる。
【００４７】
また本発明は、前記特別遊技領域に形成される障害釘間が、前記通常遊技に用いられる通常の弾球よりも小径の小玉の弾球に相応する狭い幅に形成され、前記通常遊技において特別遊技が成立することに伴い前記小玉の弾球が所定数払い出されて、前記特別遊技が前記払い出された所定数の小玉の弾球を用いて行われるとともに、前記特別遊技における入賞に伴う賞球の払出が、通常遊技における入賞に伴う賞球の払出として前記通常の弾球により行われる構成とすることにより、特に興趣を以て遊技する特別遊技を、同じ遊技台で、あたかも別遊技あるいはミニゲームをするかのように構成することができるので、遊技者に対し、更に一層、興趣ある遊技機を提供することができるとともに、遊技者や遊技場における賞球の管理を容易にすることができる。
【００４８】
また本発明は、前記発射装置は、前記第１通路に対向して設けられる前記通常の弾球を発射する通常球発射装置と、前記第２通路に対向して設けられる前記小玉の弾球を発射する小玉発射装置とからなる構成とすることにより、遊技球のそれぞれの径に合わせた発射装置を備えることができるので、とりわけ前記小玉の弾球の発射を安定かつ確実に行うことができる。
【００４９】
また本発明は、前記通常の弾球の玉受けのための通常玉受皿とともに、前記通常玉受皿に隣接して前記小玉の弾球の玉受けのための小玉玉受皿を設け、前記小玉玉受皿は、前記通常玉受皿とは画成され、かつ遊技者が前記小玉の弾球を視認できるとともに取り出せないように、少なくても上面が透明体で形成された上面カバーで覆われており、前記特別遊技の成立に伴い前記小玉の弾球が前記小玉玉受皿に所定数払い出されて前記特別遊技に供される構成とすることにより、小玉の弾球の管理を安全確実に行うことができると共に、払出が行われることが視認できるので、安心して遊技を行うことができる。
【００５０】
更に本発明は、前記特別遊技領域に特別入賞口を設け、前記特別入賞口への入賞に伴い前記通常の弾球が所定数払い出される構成とすることにより、遊技者にとって特に有利な遊技条件を与えるよう構成される該特別入賞口を前記特別遊技領域に設けたことで、あたかも別遊技あるいはミニゲームを構成する特別遊技の興趣を一層高めることができる。
【図面の簡単な説明】
【００５１】
【図１】本発明の第１の実施の形態に係る遊技盤の説明図。
【図２】本発明の第１の実施の形態に係る遊技球の発射装置の説明図。
【図３】本発明の第２の実施の形態に係る遊技盤の説明図。
【図４】本発明の第２の実施の形態に係る玉受け皿の説明図。
【図５】本発明の実施の形態に係る制御フロー図。
【符号の説明】
【００５２】
１    基枠
２    前面枠
３    遊技盤
３ａ  通常遊技領域
３ｂ  特別遊技領域
４    ガラス枠
５    玉受け皿
６    前面ボード
７    発射ハンドル
８    誘導レール
９    領域仕切板
１０ａ通常遊技始動入賞口
１０ｂ特別入賞口
１０ｃ特別遊技始動入賞口
１１ａ通常遊技表示装置
１１ｂ特別遊技表示装置
１２ａ通常遊技アウト口
１２ｂ特別遊技アウト口
１３  発射装置
１３ｂ小玉発射装置
１４―１第１通路
１４−２第２通路
１５  玉振り分け弁  
１６  下玉受け皿
１７  通常玉受皿
１８  小玉玉受皿
１９  上面カバー
２０  障害釘
３０  風車
【図１】
2009142608.tif 000003
【図２】
2009142608.tif 000004
【図３】
2009142608.tif 000005
【図４】
2009142608.tif 000006
【図５】
2009142608.tif 000007